(57)【特許請求の範囲】
【請求項１】
コンクリート輸送用配管の基端部を連結管を介して接続させるようにしてあるコンクリートポンプの吐出口の横に、所要の長さとしたサポートアームの基端部を水平方向へ回動自在に取り付け、該サポートアームの先端部に、上記連結管を固定保持させるようにしてあるコンクリートポンプの配管支持装置において、上記連結管と吐出口とを突き合わせて着脱可能に接続するための配管継手を、上記サポートアームの中間部に支持させてなる構成を有することを特徴とするコンクリートポンプの配管支持装置。
【請求項２】
配管継手を、連結管と吐出口の突き合わせ面に対して直角な向きとなるようにサポートアームの中間部に取り付けた支軸と、該支軸に上下方向へ開閉できるように基端部を取り付けた一対一組からなる半環形状の上下の継手部材と、該上下の継手部材の先端部同士を締結する締結部材とからなる構成とした請求項１記載のコンクリートポンプの配管支持装置。
【発明の詳細な説明】
【０００１】
【発明の属する技術分野】
本発明はコンクリートポンプによるコンクリート打設作業の終了後にコンクリート輸送用配管の洗浄作業を行う際に取り外すようにしてある配管を支持するための配管支持装置に関するものである。
【０００２】
【従来の技術】
たとえば、コンクリート輸送用配管をブームに沿わせて支持させた型式のブーム付コンクリートポンプ車は、従来より高所へのコンクリート打設、遠隔地へのコンクリート打設において広く採用されている。
【０００３】
ブーム付コンクリートポンプ車は、図３にその一例の概略を示す如く、車体のデッキ１上に、コンクリートホッパ２と該ホッパ２内にあるコンクリートを吸入して吐出するように作動するコンクリートポンプ３を搭載し、且つ旋回テーブル４を旋回自在に載置して、該旋回テーブル４上に、たとえば、３段連結構造とした多段式のブーム５を起伏可能に装備させ、更に、上記コンクリートポンプ３によってホッパ２内から吸入して吐出されたコンクリートを輸送するためのコンクリート輸送用配管７を、コンクリートポンプ３からデッキ１に沿わせた後、上記各段のブーム５に沿わせて支持させ、該コンクリート輸送用配管７の先端に接続した可撓性を有するホース６を、最上段のブーム５の先端より垂下させ、更に、該ホース６に先端ホース８を接続し、該先端ホース８の先端吐出口をコンクリート打設個所まで導いてコンクリートを打設するようにしてある。
【０００４】
かかるブーム付コンクリートポンプ車でブーム５に沿わせてあるコンクリート輸送用配管７内を通しコンクリートを圧送させることによりコンクリートの打設作業を行った場合、該作業の終了時毎に、上記コンクリート輸送用配管７内の残留コンクリートを排出させるための洗浄が必要となる。
【０００５】
従来、上記コンクリート輸送用配管７の洗浄は、コンクリート輸送用配管７の基端側を取り外してスポンジ等による詰物をした後、空気圧縮機から導いた圧縮空気又は水ポンプから圧送される圧力水を上記コンクリート輸送用配管７に導入することにより、上記詰物を先端ホース８側へ圧送させて、コンクリート輸送用配管７内の残留コンクリートを押し出して排出させるようにしているが、この配管洗浄作業に先立ち、上記詰物をコンクリート輸送用配管７内に挿入したり、圧縮空気や圧力水を導くための洗浄用レデューサを配管７の基端側に接続したりするために、コンクリート輸送用配管７の基端部とコンクリートポンプ３の吐出口９との間に位置する連結管としての曲り管１０をコンクリートポンプ３の吐出口９から取り外すようにしている。
【０００６】
上記曲り管１０は、図４に示す如く、基端部に設けたフランジ１２を、コンクリートポンプ３の吐出口９に設けたフランジ１１に突き合わせて、継手１３を用いて固定するようにしてあり、継手１３を取り外すことにより曲り管１０を取り外すことができるようにしてある。又、取り外した曲り管１０は、再取り付けし易いように、配管支持装置１４に保持させるようにしてある。該配管支持装置１４は、上記吐出口９の近傍位置に一側方部へ張り出すように設けたブラケット１５と、該ブラケット１５にピン１７により基端部を水平方向へ回動自在に取り付けた所要長さのサポートアーム１６と、該サポートアーム１６の先端部に曲り管１０の中間部を固定保持させるように取り付けた固定バンド１８と、サポートアーム１６の基端部付近及びブラケット１５の所要個所に設けたピン孔１９及び２０とからなり、継手１３を取り外してサポートアーム１６を二点鎖線の位置へ回動させて固定用ピンをピン孔１９と２０に差し込むことにより曲り管１０を二点鎖線で示す如き待機位置に保持させるようにした構成としてある。
【０００７】
【発明が解決しようとする課題】
ところが、上記継手１３は重量が重く、その取り外し、取り付けは、作業者が中腰姿勢で継手１３を保持しながら行わなければならないため、多大な労力を要し、又、取り外した継手１３を一旦地面に置くようにしているため、その上げ下ろしにも労力を要することから、連結管としての曲り管１０の取り外し、取り付け作業が重労働となるという問題がある。
【０００８】
そこで、本発明は、継手を作業員が持ち上げたりする必要をなくして連結管の取り外し、取り付け作業に要する労力を大幅に軽減させることができるようにしようとするものである。
【０００９】
【課題を解決するための手段】
本発明は、上記課題を解決するために、コンクリート輸送用配管の基端部を連結管を介して接続させるようにしてあるコンクリートポンプの吐出口の横に、所要の長さとしたサポートアームの基端部を水平方向へ回動自在に取り付け、該サポートアームの先端部に、上記連結管を固定保持させるようにしてあるコンクリートポンプの配管支持装置において、上記連結管と吐出口とを突き合わせて着脱可能に接続するための配管継手を、上記サポートアームの中間部に支持させてなる構成とする。
【００１０】
連結管を取り外す場合は、配管継手による吐出口との接続を解除した後、サポートアームを外方の待機位置まで回動させることによって連結管を取り外すようにする。この際、配管継手もサポートアームと一体に移動することになる。
【００１１】
又、配管継手を、連結管と吐出口の突き合わせ面に対して直角な向きとなるようにサポートアームの中間部に取り付けた支軸と、該支軸に上下方向へ開閉できるように基端部を取り付けた一対一組からなる半環形状の上下の継手部材と、該上下の継手部材の先端部同士を締結する締結部材とからなる構成とした場合は、締結部材の締結、解除により連結管の取り付け、取り外し作業を容易に行うことができるようになる。
【００１２】
【発明の実施の形態】
以下、本発明の実施の形態を図面を参照して説明する。
【００１３】
図１（イ）（ロ）は本発明のコンクリートポンプの配管支持装置の実施の一形態を示すもので、図４に示したと同様に、コンクリート輸送用配管７の基端部に位置する連結管としての曲り管１０を接続させるようにしてあるコンクリートポンプ３の吐出口９の一側方部に、所要の長さとしたサポートアーム１６の基端部を水平方向へ回動自在に取り付け、該サポートアーム１６の先端部に、上記曲り管１０を固定バンド１８を介して固定保持させるようにしてある構成において、上記サポートアーム１６の中間部に、上記曲り管１０と吐出口９との突き合わせ面と平行となるような平行部１６ａを折り曲げ形成して、上記曲り管１０と吐出口９とを突き合わせて着脱可能に接続するための配管継手２１を、上記サポートアーム１６の平行部１６ａに支持させてなる構成とする。
【００１４】
詳述すると、上記配管継手２１は、コンクリートポンプ３の吐出口９先端部のフランジ１１と、曲り管１０の基端部のフランジ１２とを突き合わせた状態で受け入れて嵌合させるためのテーパ溝の如き溝２５が内側面に設けてある一対一組の半環形状の上継手部材２２と下継手部材２３との基端部同士を、上記各フランジ１１，１２の突き合わせ面と直角な向きとなるようにサポートアーム１６の中間平行部１６ａの内側に取り付けた支軸２４に、上下方向へ開閉自在に取り付けて、全体を開環及び閉環状態とすることができるようにし、一方、上下の継手部材２２と２３の各先端部には、所定間隔で横方向に対峙する二叉状突部２６と２７をそれぞれ設けて、下継手部材２３の二叉状突部２７間に、ねじロッド２８の一端部を上下方向に回動できるように枢着し、閉環状態とした際に、上記ねじロッド２８の自由端側となる他端側を上方へ回動させることにより、上継手部材２２の二叉状突部２６間に挿入配置できるようにし、挿入後にねじロッド２８の他端部に、二叉状突部２６の上方からナット２９を螺合させて締め付けることにより、上下の継手部材２２，２３を締結することができるようにしてある。
【００１５】
なお、本実施の形態では、サポートアーム１６に角パイプを採用し、該角パイプのホッパ２に面する側の壁部にナット３０にて支軸２４を取り付けるようにしており、そのため、ナット３０の組み付け用の開口部３１が平行部１６ａの外側の壁部に穿設してある。その他、図４に示したものと同一のものには同一符号が付してある。
【００１６】
コンクリート輸送用配管７の洗浄作業に先立ち、曲り管１０の取り外し作業を行う場合は、先ず、ねじロッド２８に螺合させてあるナット２９を緩めた後、該ねじロッド２８を二叉状突部２６間から外して下方へ回動させることにより、上下の継手部材２２，２３の締結を解除し、次に、図１（ロ）に一点鎖線で示す如く、上継手部材２２と下継手部材２３とを支軸２４を中心にそれぞれ上下に回動させて配管継手２１を開環状態としてコンクリートポンプ３の吐出口９と曲り管１０との突き合わせ部の接続を解除し、次いで、サポートアーム１６を支軸２４を支点に図１（イ）に一点鎖線で示す待機位置まで水平方向へ回動させるようにすることにより、曲り管１０を吐出口９から取り外してコンクリート輸送用配管７の基端側を開放させるようにする。この際、配管継手２１も支軸２４を介してサポートアーム１６と一体化されているため曲り管１０の取り外しと同時に、待機位置まで回動変位させられる。したがって、上記待機位置において、各ピン孔１９，２０に図示しない固定用ピンを挿入して曲り管１０を固定した後、コンクリート輸送用配管７に詰物をして、該詰物の圧送による配管洗浄作業を行わせるようにする。
【００１７】
配管洗浄作業の終了後は、上記手順を逆に行うことにより、曲り管１０の取り付け作業を行うようにする。
【００１８】
このように、配管洗浄作業に伴う曲り管１０の取り外し、取り付け作業の際、コンクリートポンプ３の吐出口９と曲り管１０との突き合わせ部の接続を解除した配管継手２１を、取り外した曲り管１０と共にサポートアーム１６によって支持させることができ、これにより、従来の如く、作業員が中腰姿勢で継手を保持する必要を無くすことができて、曲り管１０の取り外し、取り付け作業に要する労力を従来に比して大幅に軽減させることができ、作業者の高齢化に対しても有利となる。
【００１９】
次に、図２は本発明の他の実施の形態を示すもので、図１に示したと同様な構成としてある配管サポート装置において、配管継手２１の支軸２４を、図４に示したと同様の直線形状のサポートアーム１６の中間位置に、三角柱形状の取付部材３２を介して取り付けたものである。
【００２０】
本実施の形態によっても、上記実施の形態と同様の効果を得ることができ、サポートアーム１６に折り曲げ加工を施さなくて済む利点がある。
【００２１】
なお、本発明は上記実施の形態のみに限定されるものではなく、配管継手２１の上下の継手部材２２，２３の先端部同士の締結手段としては図示した以外の任意の構造を採用できること、又、曲り管１０を取り外す場合について説明したが、曲り管１０とコンクリート輸送用配管との間に更に短管がある場合に該短管と共に取り外す場合にも適用できること、その他、本発明の要旨を逸脱しない範囲内において種々変更を加え得ることは勿論である。
【００２２】
【発明の効果】
以上述べた如く、本発明のコンクリートポンプの配管支持装置によれば、コンクリート輸送用配管の基端部を連結管を介して接続させるようにしてあるコンクリートポンプの吐出口の横に、所要の長さとしたサポートアームの基端部を水平方向へ回動自在に取り付け、該サポートアームの先端部に、上記連結管を固定保持させるようにしてあるコンクリートポンプの配管支持装置において、上記連結管と吐出口とを突き合わせて着脱可能に接続するための配管継手を、上記サポートアームの中間部に支持させてなる構成としてあるので、配管洗浄作業に伴う連結管の取り外し、取り付け作業の際、コンクリートポンプの吐出口と連結管との突き合わせ部の接続を解除した配管継手を、取り外した連結管と一体にサポートアームにより支持させることができ、したがって、従来の如く、作業者が中腰姿勢で重量の重い継手を保持する必要を無くすことができて、連結管の取り外し、取り付け作業に要する労力を従来に比して大幅に軽減させることができ、又、配管継手を、連結管と吐出口の突き合わせ面に対して直角な向きとなるようにサポートアームの中間部に取り付けた支軸と、該支軸に上下方向へ開閉できるように基端部を取り付けた一対一組からなる半環形状の上下の継手部材と、該上下の継手部材の先端部同士を締結する締結部材とからなる構成とすることにより、連結管の取り付け、取り外し作業を容易に行うことができるという優れた効果を発揮する。
【図面の簡単な説明】
【図１】本発明のコンクリートポンプの配管支持装置の実施の一形態を示すもので、（イ）は概略平面図、（ロ）は一部切断概略正面図である。
【図２】本発明の実施の他の形態を示す概略平面図である。
【図３】ブーム付コンクリートポンプ車の一例の概略を示す斜視図である。
【図４】従来の配管支持装置を示す概略平面図である。
【符号の説明】
２  コンクリートホッパ
３  コンクリートポンプ
７  コンクリート輸送用配管
９  吐出口
１０  曲り管（連結管）
１６  サポートアーム
２１  配管継手
２２  上継手部材
２３  下継手部材
２４  支軸
２８  ねじロッド（締結部材）
２９  ナット（締結部材）
【図１】
0004051647.tif 000002
【図２】
0004051647.tif 000003
【図３】
0004051647.tif 000004
【図４】
0004051647.tif 000005